(57)【特許請求の範囲】
【請求項１】
浄化された浄水、還元水又は酸性水を含む機能水を生成する機能水生成手段と、
前記機能水生成手段を、前記浄水を生成する浄水モード、前記還元水を生成する還元水モード又は前記酸性水を生成する酸性水モードを含む複数の動作モードで制御する制御手段と、
前記動作モードを切り替えるための操作手段とを備えた機能水生成装置であって、
前記操作手段は、
ユーザーによってタッチ操作される操作面と、
前記各動作モードに対応する操作領域を、前記操作面上の第１座標軸に沿って、生成される前記機能水のｐＨの順に並べて表示する表示手段と、
前記ユーザーにタッチ操作された前記操作面上の一つの位置を検出し、その第１座標の位置情報を前記制御手段に出力する位置検出手段とを有し、
前記各操作領域は、前記機能水の前記ｐＨの増減に応じて、途切れることなく連続的に形成されており、
前記制御手段は、前記第１座標の位置情報に基づいて、前記動作モードと、当該動作モードで生成される前記機能水の前記ｐＨとを決定し、前記機能水生成手段を制御することを特徴とする機能水生成装置。
【請求項２】
前記表示手段は、前記機能水の前記ｐＨを、色の濃淡によって表示する請求項１記載の機能水生成装置。
【請求項３】
前記機能水生成手段は、第１極室と第２極室とが固体高分子膜によって区分されてなる電解槽を含む請求項１又は２に記載の機能水生成装置。
【請求項４】
前記表示手段は、前記操作面上の第２座標軸に前記溶存ガス濃度を表示し、
前記各操作領域は、前記機能水の前記溶存ガス濃度の増減に応じて、途切れることなく連続的に形成されており、
前記位置決定手段は、前記一つの位置の第２座標の位置情報を前記制御手段に出力し、
前記制御手段は、前記第２座標の位置情報に基づいて、前記溶存ガス濃度を決定し、前記機能水生成手段を制御する請求項３記載の機能水生成装置。
【発明の詳細な説明】
【技術分野】
【０００１】
本発明は、浄水、還元水又は酸性水を含む機能水を生成する機能水生成装置に関する。
【背景技術】
【０００２】
水を電気分解することにより得られるアルカリ性の還元水は、胃腸症状の改善に効果があるとして注目されている。近年では、電気分解によって生成された還元水は、水素ガスが溶け込んでいることから電解水素水とも称され、酸化ストレスの軽減等の効果が期待され、より一層注目されている。
【０００３】
こうした還元水等の特別な機能を有する水（以下、機能水とする）を普段の生活の中で気軽に摂取可能とする家庭用の機能水生成装置が普及している。
【０００４】
例えば、特許文献１には、浄水、水の電気分解によって得られる還元水又は酸性水を生成する機能水生成装置が開示されている。かかる機能水生成装置は、ユーザーが使用目的を選択すると、選択された使用目的に応じたｐＨの水を生成する。例えば、ユーザーが使用目的として「日常的な飲用に」を選択した場合、機能水生成装置は、ｐＨ９．５の還元水を生成する。
【０００５】
しかしながら、ユーザーは、「日常的な飲用」を選択した場合であっても、ｐＨが通常よりも少し高い還元水（例えばｐＨが９．６）や、低い還元水（例えばｐＨが８．９）を飲みたいという要望がある。ところが、この機能水生成装置では、使用目的に応じて生成される水のｐＨが決まっているため、ユーザーは所望するｐＨの水の生成を指示することができない。酸性水についても使用目的でｐＨが決まるため、同様の問題がある。
【０００６】
また、この機能水生成装置が生成可能な水はその性質上、酸性水、浄水、還元水の順にｐＨが大きくなる。しかしながら、上記特許文献１の機能水生成装置では、酸性水、浄水及び還元水に対応する各操作領域がｐＨの順に配置されていないので、ユーザーは操作時に直感的にｐＨの大小が分からない。従って、所望の機能水の種別とそのｐＨの値に対応する各操作領域を直感的に認識することが困難で、使い勝手の向上が望まれている。
【０００７】
一方、特許文献２には、格子状の区画線で分画された分画域（操作領域）を用いて、吐水の流量と温度とを調節可能とした水栓の操作装置が開示されている。流量と温度とは互いに独立して調節できる項目であるため、上記操作装置は、２つの座標軸上に対応する操作領域を配置することにより、２種類の調節を同時に行なえるように構成されている。
【０００８】
しかしながら、機能水生成装置では、上述したように生成される機能水の種別とｐＨは互いに関連しているため、一方の座標軸に機能水の種別、他方の座標軸にｐＨをそれぞれ設定した場合、それぞれに対応する操作領域を正しく、かつ、ユーザーが直感的に認識できるように配置することが困難となり、ユーザーの混乱を招くおそれがある。
【先行技術文献】
【特許文献】
【０００９】
【特許文献１】特開２００５−１４４３３５号公報
【特許文献２】特開２０１１−２４７００８号公報
【発明の概要】
【発明が解決しようとする課題】
【００１０】
本発明は、以上のような実状に鑑み案出されたもので、生成可能な機能水の中から所望の機能水及びそのｐＨの選択を、１度のタッチ操作によって、簡素かつ直感的に行なうことができる機能水生成装置を提供することを主たる目的としている。
【課題を解決するための手段】
【００１１】
本発明は、浄化された浄水、還元水又は酸性水を含む機能水を生成する機能水生成手段と、前記機能水生成手段を、前記浄水を生成する浄水モード、前記還元水を生成する還元水モード又は前記酸性水を生成する酸性水モードを含む複数の動作モードで制御する制御手段と、前記動作モードを切り替えるための操作手段とを備えた機能水生成装置であって、前記操作手段は、ユーザーによってタッチ操作される操作面と、前記各動作モードに対応する操作領域を、前記操作面上の第１座標軸に沿って、生成される前記機能水のｐＨの順に並べて表示する表示手段と、前記ユーザーにタッチ操作された前記操作面上の一つの位置を検出し、その位置情報を前記制御手段に出力する位置検出手段とを有し、前記制御手段は、前記一つの位置情報に基づいて、前記動作モードと、当該動作モードで生成される前記機能水の前記ｐＨとを決定し、前記機能水生成手段を制御することを特徴とする。
【００１２】
本発明に係る前記機能水生成装置において、前記表示手段は、前記機能水の前記ｐＨを、色の濃淡によって表示することが望ましい。
【００１３】
本発明に係る前記機能水生成装置において、前記機能水生成手段は、第１極室と第２極室とが固体高分子膜によって区分されてなる電解槽を含むことが望ましい。
【００１４】
本発明に係る前記機能水生成装置において、前記制御手段は、前記一つの位置情報に基づいて、前記機能水の溶存ガス濃度を決定し、前記機能水生成手段を制御することが望ましい。
【００１５】
本発明に係る前記機能水生成装置において、前記表示手段は、前記操作面上の第２座標軸に前記溶存ガス濃度を表示することが望ましい。
【発明の効果】
【００１６】
本発明の機能水生成装置では、操作手段は、ユーザーによってタッチ操作される操作面と、各動作モードに対応する操作領域を表示する表示手段と、ユーザーにタッチ操作された操作面上の一つの位置を検出し、その位置情報を制御手段に出力する位置検出手段とを有する。そして、制御手段は、位置検出手段から入力された位置情報に基づいて、動作モードと、当該動作モードで生成される機能水のｐＨとを決定し、機能水生成手段を制御する。これにより、ユーザーは、生成可能な機能水の中から所望の機能水及びそのｐＨの選択を、１度のタッチ操作によって、簡素に行なうことができる。
【００１７】
また、表示手段は、各動作モードに対応する操作領域を操作面上の第１座標軸に沿って、生成される機能水のｐＨの順に並べて表示する。これにより、ユーザーは、機能水及びそのｐＨの大小の値を並び順によって直感的に把握できるようになるため、所望の機能水及びその水の所望のｐＨの選択を直感的に行なうことが可能となり、機能水生成装置の使い勝手が向上する。
【図面の簡単な説明】
【００１８】
【図１】本発明の機能水生成装置の概略を示す斜視図である。
【図２】図１の機能水生成装置の構成を示すブロック図である。
【図３】図１の操作手段の構成を示す分解斜視図である。
【図４】図３の操作面に表示される画像の一例を示す図である。
【図５】図４の画像の変形例を示す図である。
【図６】図４の画像の別の変形例を示す図である。
【図７】図４の画像のさらに別の変形例を示す図である。
【図８】図２の機能水生成手段の変形例の構成を示すブロック図である。
【図９】図８の機能水生成手段を有する機能水生成装置の操作手段の操作面に表示される画像の一例を示す図である。
【発明を実施するための形態】
【００１９】
以下、本発明の実施の一形態が図面に基づき説明される。
図１及び図２は、本実施形態の機能水生成装置１を示している。
【００２０】
機能水生成装置１は、機能水を生成する機能水生成手段２と、機能水生成手段２を制御する制御手段６と、機能水生成手段２の動作モードを切り替えるための操作手段７とを備える。
【００２１】
機能水生成手段２が生成する機能水には、浄化された浄水、電気分解によって生成された還元水又は酸性水が含まれる。すなわち、機能水生成手段２の動作モードには、浄水を生成する「浄水モード」、還元水を生成する「還元水モード」、酸性水を生成する「酸性水モード」が含まれる。
【００２２】
機能水生成手段２は、原水を浄化して浄水を生成する浄水カートリッジ３と、浄水カートリッジ３を通過した浄水を電気分解することにより還元水又は酸性水を生成する電解槽４とを含む。
【００２３】
原水には、一般的には水道水が利用されるが、その他、例えば、井戸水、地下水等を用いることができる。
【００２４】
浄水カートリッジ３は、機能水生成装置１の本体に対して着脱可能に構成されている。本実施形態では、浄水カートリッジ３は、電解槽４の上流に設けられている。浄水カートリッジ３は、電解槽４の下流に設けられていてもよい。この場合、浄水カートリッジ３は、電解槽４によって生成された還元水、酸性水又は電解槽４を通過した原水を浄化する。
【００２５】
電解槽４は、浄水カートリッジ３から供給された水を電気分解することにより、還元水及び酸性水を生成する。電解槽４は、電解室４０と、第１給電体４１と、第２給電体４２と、隔膜４３とを有している。電解室４０は、隔膜４３によって、第１給電体４１側の第１極室４０Ａと、第２給電体４２側の第２極室４０Ｂとに区切られる。
【００２６】
浄水カートリッジ３と電解槽４とは、給水路２１によって接続されている。給水路２１は、浄水カートリッジ３から電解槽４に至る途中の分岐部で二方に分岐し、第１極室４０Ａ及び第２極室４０Ｂと接続されている。これにより、第１極室４０Ａ及び第２極室４０Ｂの両方に、浄水カートリッジ３によって浄化された浄水が供給される。
【００２７】
第１給電体４１及び第２給電体４２の一方は陽極給電体として適用され、他方は陰極給電体として適用される。第１給電体４１及び第２給電体４２の極性は、機能水生成手段２の動作モード等に応じて適宜変更されうる。電解室４０の第１極室４０Ａ及び第２極室４０Ｂの両方に水が供給され、第１給電体４１及び第２給電体４２に直流電圧が印加されることにより、電解室４０内で水の電気分解が生ずる。
【００２８】
隔膜４３は、例えば、ポリテトラフルオロエチレン（ＰＴＦＥ）親水膜によって構成されている。このような電解槽４では、第１極室４０Ａ及び第２極室４０Ｂで、還元水又は酸性水が生成される。還元水には、電気分解によって生じた水素ガスが溶け込み、酸性水には、電気分解によって生じた酸素ガスが溶け込んでいる。従って、上記還元水は、電解水素水とも称される。
【００２９】
第１極室４０Ａは第１出水管２３と接続され、第１極室４０Ａで生成された電解水は、第１出水管２３から吐出される。一方、第２極室４０Ｂは第２出水管２４と接続され、第２極室４０Ｂで生成された電解水は、第２出水管２４から吐出される。図２では、第１極室４０Ａで生成された還元水が、第１出水管２３から吐出される「還元水モード」での機能水生成装置１が示されている。
【００３０】
電解槽４の動作は、制御手段６によって制御される。制御手段６は、例えば、各種の演算処理、情報処理等を実行するＣＰＵ（Central Processing Unit）及びＣＰＵの動作を司るプログラム及び各種の情報を記憶するメモリ等を有している。
【００３１】
機能水生成手段２の動作モードが還元水モード又は酸性水モードであるとき、制御手段６は、第１給電体４１及び第２給電体４２に直流電圧を印加する。制御手段６は、機能水生成手段２の動作モードに応じて、第１給電体４１及び第２給電体４２の極性を制御する。
【００３２】
さらに、制御手段６は、機能水のｐＨに応じて、第１給電体４１及び第２給電体４２に供給する電解電流Ｉを制御する。より具体的には、制御手段６は、給水路２１に設けられている流量センサー２２から入力された単位時間あたりの流量に相当する信号に基づいて、上記メモリに格納された情報を参照し、給電体４１、４２に供給する電解電流Ｉを制御する。電解電流Ｉの制御は、制御手段６が第１給電体４１と第２給電体４２との間に印加する直流電圧を制御することによって実現される。これにより、電解槽４での電解レベルが制御される。
【００３３】
操作手段７は、ユーザーによって操作される。操作手段７は、例えば、機能水生成手段２の動作モードを切り替える際に操作される。
【００３４】
図３は、操作手段７の構成を示している。操作手段７は、その前面に配されるフロントパネル７１と、フロントパネル７１に操作領域を表示する表示手段７２と、操作された操作面上の位置を検出する位置検出手段７３を有する。本実施形態では、フロントパネル７１、位置検出手段７３及び表示手段７２等が積層されてなるいわゆる投影型のタッチパネルが適用されている
【００３５】
フロントパネル７１には、例えば、ガラス板等の透光性を有する板状部材が適用されている。フロントパネル７１は、ユーザーによってタッチ操作される操作面７１ａを有する。
【００３６】
表示手段７２は、位置検出手段７３の背面側に設けられている。表示手段７２には、例えば、ＬＣＤ（Liquid Crystal Display）等が適用される。表示手段７２は、制御手段６によって制御され、フロントパネル７１の側に各種の画像を投影する。制御手段６は、メモリに記憶されている各種の情報を参照し、表示手段７２を制御する。従って、表示手段７２は、各種の情報を種々の形態で表示可能である。例えば、表示手段７２は、各動作モードに対応する操作領域を、操作面７１ａ上に並べて表示できる。
【００３７】
表示手段７２が投影した画像は、位置検出手段７３及びフロントパネル７１を透過して、ユーザーに伝達される。従って、位置検出手段７３には、透光性が付与されている。
【００３８】
位置検出手段７３は、ユーザーにタッチ操作された操作面７１ａ上の一つの位置を検出し、その位置情報を制御手段６に出力する。例えば、表示手段７２は、各動作モードに対応する操作領域を表示しているときに操作面７１ａがタッチ操作されると、制御手段６は、
機能水生成手段２の動作モードを切り替える旨の指令がユーザーによって入力されたことを認識する。そして、制御手段６は、機能水生成手段２の動作モードを、ユーザーによって操作された領域に対応するモードに切り替えて、電解槽４を制御する。
【００３９】
本実施形態では、投影式の表示手段７２が適用されているが、反射式の表示手段（例えば、後述する操作領域等の各種の情報が印刷されたシート）が適用されていてもよい。この場合、表示手段は、フロントパネル７１の正面側又は背面側に配置され、透光性を有さない位置検出手段７３を適用可能である。表示手段がフロントパネル７１の正面側に配置される形態では、透光性を有さないフロントパネル７１を適用可能である。このような表示手段を用いることにより、操作手段７の構成が簡素化され、機能水生成装置１のコストダウンを図ることが可能となる。
【００４０】
図４は、操作面７１ａに表示される画像１００の一例を示している。画像１００は、機能水生成手段２によって生成される機能水のｐＨを示す第１座標軸１０１と、機能水生成手段２の動作モードを切り替えるための操作領域１０２とを有する。
【００４１】
第１座標軸１０１は、例えば、水平方向又は鉛直方向にのびて表示されている。このような第１座標軸１０１は、ユーザーが機能水のｐＨを直感的に認識しやすく、機能水生成装置１の使い勝手を高める。なお、第１座標軸１０１には、ｐＨの数値が添えられていてもよい。
【００４２】
操作領域１０２は、本実施形態では、長円形状に区画された領域であり、酸性水モードに対応する第１操作領域１０３と、浄水モードに対応する第２操作領域１０４と、還元水モードに対応する第３操作領域１０５とを含む。
【００４３】
本実施形態では、第１操作領域１０３、第２操作領域１０４及び第３操作領域１０５は、第１座標軸１０１に沿って、生成される機能水のｐＨの順に並べて表示されている。すなわち、第１操作領域１０３は、第１座標軸１０１においてｐＨが７未満の領域に表示され、第２操作領域１０４は、第１座標軸１０１においてｐＨが７の領域に表示され、第３操作領域１０５は、第１座標軸１０１においてｐＨが７を超える領域に表示されている。
【００４４】
ユーザーによって、操作領域１０２上のいずれかの領域がタッチ操作されると、位置検出手段７３は、操作された位置を検出し、その第１座標の位置情報を制御手段６に出力する。制御手段６は、位置検出手段７３から出力された位置情報に基づいて、ユーザーに選択された機能水の種別及びｐＨを認識、すなわち生成する機能水の種別及びｐＨを決定し、所望の機能水が生成されるように電解槽４を制御する。これにより、ユーザーは、生成可能な機能水の中から所望の機能水及びそのｐＨの選択を、１度のタッチ操作によって、簡素に行なうことができ、機能水生成装置１の使い勝手が高められる。
【００４５】
また、表示手段７２は、各動作モードに対応する操作領域１０３，１０４，１０５を操作面７１ａ上の第１座標軸１０１に沿って、生成される機能水のｐＨの順に並べて表示する。これにより、ユーザーは、機能水及びそのｐＨの大小の値を並び順によって直感的に把握できるようになるため、所望の機能水及びその水の所望のｐＨの選択を直感的に行なうことが可能となり、機能水生成装置１の使い勝手が高められる。
【００４６】
本実施形態では、表示手段７２は、第１操作領域１０３及び第３操作領域１０５で、機能水のｐＨを、色の濃淡によって表示するのが望ましい。図４に示される画像１００では、機能水のｐＨは、連続的又は、段階的に変化するグラデーションによって表現されている。
これにより、ユーザーは第１操作領域１０３及び第３操作領域１０５での機能水のｐＨを直感的に認識することが可能となり、機能水生成装置１の使い勝手が高められる。
【００４７】
第１操作領域１０３を表示する色と第３操作領域１０５を表示する色とは、異なっていてもよい。この場合、ユーザーは機能水の種別及びｐＨを色彩によって直感的に認識することが可能となり、機能水生成装置１の使い勝手がより一層高められる。
【００４８】
また、ユーザーによってタッチされた領域がハイライト表示されるように構成されていてもよい。この場合、タッチされた箇所を含む操作領域１０３，１０４又は１０５の全体がハイライト表示されてもよく、タッチされた箇所が局所的にハイライト表示されてもよい。このハイライト表示は、機能水を吐出している間継続されてもよい。
【００４９】
図５及び６は、操作面７１ａに表示される画像１００の変形例である画像１００Ａ及び１００Ｂを示している。画像１００Ａ及び１００Ｂにおいて、以下に説明されていない構成については、上記画像１００の構成が適宜適用されうる。
【００５０】
画像１００Ａでは、操作領域１０２Ａが長円形状に区画され、酸性水モードに対応する第１操作領域１０３と、還元水モードに対応する第３操作領域１０５とが、第１座標軸１０１に沿って、生成される機能水のｐＨの順に並べて表示されている。そして、浄水モードに対応する第２操作領域１０４は、第１操作領域１０３及び第３操作領域１０５の下方に表示されている。
【００５１】
画像１００Ｂでは、操作領域１０２Ｂが円形状に区画され、酸性水モードに対応する第１操作領域１０３、浄水モードに対応する第２操作領域１０４及び還元水モードに対応する第３操作領域１０５が扇状に区画されている。そして、画像１００Ａと同様に、第１操作領域１０３と第３操作領域１０５とが、第１座標軸１０１に沿って、生成される機能水のｐＨの順に並べて表示され、第２操作領域１０４は、第１操作領域１０３及び第３操作領域１０５の下方に表示されている。
【００５２】
図５及び６に示される画像１００Ａ又は画像１００Ｂでは、浄水モードに対応する第２操作領域１０４を広く設定することが可能となり、操作手段７の操作性が高められる。
【００５３】
隔膜４３は、例えば、例えば、スルホン酸基を有するフッ素系の樹脂材料からなる固体高分子電解質膜が用いられていてもよい。このような電解槽４で電気分解によって生成される機能水は中性であり、第１極室４０Ａ及び第２極室４０Ｂでは、水素が溶け込んだ中性の水素水又は酸素が溶け込んだ中性の酸素水が生成される。電解槽４で生成される水素水の溶存水素濃度又は酸素水の溶存酸素濃度は、電解槽４での電解レベル、すなわち電解電流Ｉに依存する。
【００５４】
図７は、隔膜４３に固体高分子電解質膜が用いられている機能水生成装置１の操作面７１ａに表示される画像１００Ｃを示している。画像１００Ｃにおいて、以下に説明されていない構成については、上記画像１００Ａ又は１００Ｂの構成が適宜適用されうる。
【００５５】
画像１００Ｃでは、画像１００における第１座標軸１０１に替えて、機能水の溶存ガス濃度を示す第２座標軸１０６が表示されている。第２座標軸１０６は、鉛直方向又は水平方向にのびている。このような第２座標軸１０６は、ユーザーが機能水の溶存ガス濃度を直感的に認識しやすく、機能水生成装置１の使い勝手を高める。
【００５６】
画像１００Ｃの操作領域１０２Ｃでは、図４の第１操作領域１０３、第２操作領域１０４及び第３操作領域１０５に準じて、酸素水モードに対応する第１操作領域１０３Ｃ、浄水モードに対応する第２操作領域１０４Ｃ及び水素水モードに対応する第３操作領域１０５Ｃが水平方向に並べて表示されている。
【００５７】
ユーザーによって、操作領域１０２Ｃ上のいずれかの領域がタッチ操作されると、位置検出手段７３は、操作された位置を検出し、その第１座標及び第２座標の位置情報を制御手段６に出力する。制御手段６は、位置検出手段７３から出力された位置情報に基づいて、ユーザーが選択した機能水の種別及び溶存ガス濃度を認識、すなわち生成する機能水の種別及び溶存ガス濃度を決定し、所望の機能水が生成されるように電解槽４を制御する。これにより、ユーザーは機能水の種別及びその溶存ガス濃度の選択を、１度のタッチ操作によって、簡素に行なうことができ、機能水生成装置１の使い勝手が高められる。
【００５８】
図８は、機能水生成手段２の変形例である機能水生成手段２Ａを示している。機能水生成手段２Ａにおいて、以下に説明されていない構成については、上記機能水生成手段２の構成が適宜適用されうる。
【００５９】
機能水生成手段２Ａは、浄水カートリッジ３と、一対の電解槽４，５とを含む。電解槽４と電解槽５とは、直列に接続されている。
【００６０】
下流側の電解槽５の構成は、上記電解槽４の構成と同等である。すなわち、電解槽５は、電解室５０と、第１給電体５１と、第２給電体５２と、隔膜５３とを有している。電解室５０は、隔膜５３によって、第１給電体５１側の第１極室５０Ａと、第２給電体５２側の第２極室５０Ｂとに区切られる。電解槽４の第１極室４０Ａと電解槽５の第１極室５０Ａとは、連結管２５によって接続されている。電解槽４の第２極室４０Ｂと電解槽５の第２極室５０Ｂとは、連結管２６によって接続されている。電解室５０は、制御手段６によって制御される。すなわち、電解槽５での電解レベル、すなわち電解電流は、制御手段６によって制御される。
【００６１】
機能水生成手段２Ａでは、隔膜４３又は５３のうち、一方はポリテトラフルオロエチレン（ＰＴＦＥ）親水膜によって構成され、他方はスルホン酸基を有するフッ素系の樹脂材料からなる固体高分子電解質膜によって構成されている。機能水生成手段２Ａによれば、他方の隔膜を有する電解槽によって、機能水の溶存ガス濃度が高められる。従って、機能水のｐＨを機能水生成手段２と同等に維持しつつ、溶存ガス濃度をより一層高めることが可能となる。換言すると、機能水生成手段２Ａでは、機能水の溶存ガス濃度をｐＨとは独立して設定可能である。
【００６２】
図９は、機能水生成手段２Ａを備えた機能水生成装置１の操作面７１ａに表示される画像１００Ｄを示している。画像１００Ｄにおいて、以下に説明されていない構成については、上記画像１００乃至１００Ｃの構成が適宜適用されうる。
【００６３】
画像１００Ｄでは、画像１００における第１座標軸１０１に加えて、機能水の溶存ガス濃度を示す第２座標軸１０６が表示されている。
【００６４】
ユーザーによって操作領域１０２Ｄ上のいずれかの領域がタッチ操作されると、位置検出手段７３は、操作された位置を検出し、その第１座標及び第２座標の位置情報を制御手段６に出力する。制御手段６は、位置検出手段７３から出力された位置情報に基づいて、ユーザーが選択した機能水の種別、ｐＨ及び溶存ガス濃度を認識、すなわち生成する機能水の種別、ｐＨ及び溶存ガス濃度を決定し、所望の機能水が生成されるように電解槽４を制御する。これにより、ユーザーは機能水の種別、ｐＨ及びその溶存ガス濃度の選択を、１度のタッチ操作によって、簡素に行なうことができ、機能水生成装置１の使い勝手が高められる。
【００６５】
以上、本発明の機能水生成装置１が詳細に説明されたが、本発明は上記の具体的な実施形態に限定されることなく種々の態様に変更して実施される。すなわち、機能水生成装置１は、浄化された浄水、還元水又は酸性水を含む機能水を生成する機能水生成手段２と、機能水生成手段２を浄水を生成する浄水モード、還元水を生成する還元水モード又は酸性水を生成する酸性水モードを含む複数の動作モードで制御する制御手段６と、動作モードを切り替えるための操作手段７とを備え、操作手段７は、ユーザーによってタッチ操作される操作面７１ａと、各動作モードに対応する操作領域１０３、１０４及び１０５を、操作面７１ａ上の第１座標軸１０１に沿って、生成される機能水のｐＨの順に並べて表示する表示手段７２と、ユーザーにタッチ操作された操作面７１ａ上の一つの位置を検出し、その位置情報を制御手段６に出力する位置検出手段７３とを有し、制御手段６は、一つの位置情報に基づいて、動作モードと、当該動作モードで生成される機能水のｐＨとを決定し、機能水生成手段２を制御するように構成されていればよい。
【符号の説明】
【００６６】
１    機能水生成装置
２    機能水生成手段
６    制御手段
７    操作手段
７１ａ  操作面
７２    表示手段
７３    位置検出手段
【図１】
0006276803.tif 000002
【図２】
0006276803.tif 000003
【図３】
0006276803.tif 000004
【図４】
0006276803.tif 000005
【図５】
0006276803.tif 000006
【図６】
0006276803.tif 000007
【図７】
0006276803.tif 000008
【図８】
0006276803.tif 000009
【図９】
0006276803.tif 000010